(57)【要約】      （修正有）【課題】印刷機の見当制御装置におけるセンサ光源を確実に切り換える装置や方法を提供すること。【解決手段】見当マーク配列情報と基準見当マークの印刷色情報を含んだ見当マーク情報を取得する見当マーク情報取得手段と、見当マーク情報から、印刷ユニット識別情報を含んだ光源色指定情報を生成する光源色指定情報生成手段と、異なる光源色を発光する光源手段と、光源色指定情報を受け付けて、光源手段から１つの光源を選択する光源選択手段と、前記光源手段の見当マークからの反射光量を検知して反射光量データを出力する検知手段と、２つの反射光量データから、２つの見当マーク検出時間の差を含む見当マーク検出データを作成する見当マーク検出手段と、見当マーク検出データから、印刷見当ズレを是正制御する印刷ユニット制御データの作成手段と、を備えるセンサ光源選択式見当制御装置。【選択図】図１
2007160726.tif 000002
【特許請求の範囲】
【請求項１】
印刷見当を是正するために印刷装置の印刷ユニットを制御するセンサ光源選択式見当制御装置であって、
2つの見当マーク検出時間の差を含む見当マーク検知データと、
印刷見当ズレを是正するために印刷ユニットを制御する印刷ユニット制御データと、
を記憶する記憶手段と、
見当マークの配列情報と基準の見当マークの印刷色情報を含んだ見当マーク情報を取得する見当マーク情報取得手段と、
見当マークの配列情報と基準の見当マークの印刷色情報を含んだ見当マーク情報から、印刷ユニット識別情報を含んだ光源色指定情報を生成する光源色指定情報生成手段と、
異なる光源色を発光する光源手段と、
光源色指定情報を受け付けて、光源手段の光源の中から１つを選択する光源選択手段と、
前記光源手段の発光する光源色が見当マークから反射した反射光量を検知して、反射光量データを出力する検知手段と、
2つの反射光量データを取得して、各反射光量データの変化から見当マーク検出時間を算出して、2つの見当マーク検出時間の差を含む見当マーク検出データを作成する見当マーク検出手段と、
見当マーク検出データの2つの見当マーク検出時間の差を取得して、印刷見当ズレを是正するための印刷ユニット制御データを作成する印刷ユニット制御データ作成手段と、
を備えることを特徴とするセンサ光源選択式見当制御装置。
【請求項２】
2つの見当マーク検出時間の差を含む見当マーク検知データと、
印刷見当ズレを是正するために印刷ユニットを制御する印刷ユニット制御データと、
を用いて、
印刷見当を是正するために印刷装置の印刷ユニットを制御するセンサ光源選択式見当制御方法であって、
見当マークの配列情報と基準の見当マークの印刷色情報を含んだ見当マーク情報を取得する見当マーク情報取得ステップと、
見当マークの配列情報と基準の見当マークの印刷色情報を含んだ見当マーク情報から、印刷ユニット識別情報を含んだ光源色指定情報を生成する光源色指定情報生成ステップ段と、
光源色指定情報を受け付けて、異なる光源色の中から１つを選択する光源選択ステップと、
前記選択された光源色が見当マークから反射した反射光量を検知して、反射光量データを出力する検知ステップと、
2つの反射光量データを取得して、各反射光量データの変化から見当マーク検出時間を算出して、2つの見当マーク検出時間の差を含む見当マーク検出データを作成する見当マーク検出ステップと、
見当マーク検出データの2つの見当マーク検出時間の差を取得して、印刷見当ズレを是正するための印刷ユニット制御データを作成する印刷ユニット制御データ作成ステップと、
を含んだ手順でなされることを特徴とするセンサ光源選択式見当制御方法。
【請求項３】
コンピュータに組込むことによって、コンピュータを請求項１に記載のセンサ光源選択式見当制御装置として動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、多色刷り印刷機において、見当制御用マーク（以下：見当マーク）を検出する検出器（以下：見当センサ）の光源色を切り替える装置、方法に関するものである。
【０００２】
従来から、多色印刷では、見当ズレを修正するために、見当センサを印刷機に設置して、見当ズレ量を測定している。このとき、見当センサの検知精度を高めるために、所定の光源色の光を用いて、見当マークを検知している。
【背景技術】
【０００３】
たとえば、特許文献１には、多色印刷における印刷の制御において、各印刷ユニットの印刷色に適した光源色を用いることで、各印刷ユニットの印刷状態の検出精度を高める技術が開示されている。（従来技術１）
【特許文献１】特開２００１−３４９７７８号公報（８−９ページ、図４、７）
【発明の開示】
【発明が解決しようとする課題】
【０００４】
ところで、従来技術１では、印刷ユニットの印刷色が変更されると、印刷ユニットの光源色をそれに対応させて変更しなければならないので、変更作業の手間を要するという欠点があった。また、この変更作業は、作業者の注意力に依存するために、光源色の設定ミスが発生して、そのときには、印刷状態を検出する精度が低下するために、印刷材料に多大な無駄が生じるという問題点があった。
【０００５】
本発明はこのような従来技術を考慮してなされたものであって、本発明の課題は、印刷機の見当制御装置におけるセンサ光源を確実に切り換える装置、方法を提供することである。
【課題を解決するための手段】
【０００６】
本発明は、以下のような解決手段により、前記課題を解決する。すなわち、請求項１の発明は、印刷見当を是正するために印刷装置の印刷ユニットを制御するセンサ光源選択式見当制御装置であって、2つの見当マーク検出時間の差を含む見当マーク検知データと、印刷見当ズレを是正するために印刷ユニットを制御する印刷ユニット制御データと、を記憶する記憶手段と、見当マークの配列情報と基準の見当マークの印刷色情報を含んだ見当マーク情報を取得する見当マーク情報取得手段と、見当マークの配列情報と基準の見当マークの印刷色情報を含んだ見当マーク情報から、印刷ユニット識別情報を含んだ光源色指定情報を生成する光源色指定情報生成手段と、異なる光源色を発光する光源手段と、光源色指定情報を受け付けて、光源手段の光源の中から１つを選択する光源選択手段と、前記光源手段の発光する光源色が見当マークから反射した反射光量を検知して、反射光量データを出力する検知手段と、2つの反射光量データを取得して、各反射光量データの変化から見当マーク検出時間を算出して、2つの見当マーク検出時間の差を含む見当マーク検出データを作成する見当マーク検出手段と、見当マーク検出データの2つの見当マーク検出時間の差を取得して、印刷見当ズレを是正するための印刷ユニット制御データを作成する印刷ユニット制御データ作成手段と、を備えることを特徴とするセンサ光源選択式見当制御装置である。
【０００７】
従って、各印刷ユニットの見当センサは、見当マークの印刷色に適した光源色の光源を選択することで、見当マークを、的確に、検知する。
【０００８】
請求項２の発明は、
2つの見当マーク検出時間の差を含む見当マーク検知データと、印刷見当ズレを是正するために印刷ユニットを制御する印刷ユニット制御データと、を用いて、印刷見当を是正するために印刷装置の印刷ユニットを制御するセンサ光源選択式見当制御方法であって、見当マークの配列情報と基準の見当マークの印刷色情報を含んだ見当マーク情報を取得する見当マーク情報取得ステップと、見当マークの配列情報と基準の見当マークの印刷色情報を含んだ見当マーク情報から、印刷ユニット識別情報を含んだ光源色指定情報を生成する光源色指定情報生成ステップ段と、光源色指定情報を受け付けて、異なる光源色の中から１つを選択する光源選択ステップと、前記選択された光源色が見当マークから反射した反射光量を検知して、反射光量データを出力する検知ステップと、2つの反射光量データを取得して、各反射光量データの変化から見当マーク検出時間を算出して、2つの見当マーク検出時間の差を含む見当マーク検出データを作成する見当マーク検出ステップと、見当マーク検出データの2つの見当マーク検出時間の差を取得して、印刷見当ズレを是正するための印刷ユニット制御データを作成する印刷ユニット制御データ作成ステップと、を含んだ手順でなされることを特徴とするセンサ光源選択式見当制御方法である。
【０００９】
請求項３の発明は、コンピュータに組込むことによって、コンピュータを請求項１に記載のセンサ光源選択式見当制御装置として動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、見当センサの光源色の選択作業の能率が向上する。また、見当センサの光源色の選択ミスによる印刷材料の無駄を防止する。
【発明を実施するための最良の形態】
【００１２】
（実施例）
以下、図面等を参照しながら、本発明の実施の形態について、更に詳しく説明する。図１は、センサ光源選択式見当制御装置の概要と大まかな処理の流れを説明する図である。まず、センサ光源選択式見当制御装置１００の概要を説明する。センサ光源選択式見当制御装置１００は、見当センサ７１０を備える。見当センサ７１０は、異なる光源色の光源を内蔵した見当センサを備える。見当センサ７１０は、印刷装置３００の2番目以降の印刷ユニット３１０に設置される。
【００１３】
次に、センサ光源選択式見当制御装置１００の大まかな処理の流れを説明する。印刷機操作者９００は、基準見当マーク５１０を印刷する印刷色の情報と、印刷媒体５００に印刷する見当マーク５１０の配列順序の情報とを含む見当マーク情報を入力する（図１（１））。センサ光源選択式見当制御装置１００は、入力された見当マーク情報を受け付けて、各見当センサ７１０が備える光源の色を選択する光源色指定情報を生成して、送信する（同（２））。各見当センサ７１０は、光源色指定情報を受け付けて、見当センサ７１０が内蔵する複数の光源から１つを選択して、この光源を用いて、印刷媒体５００の見当マーク５１０を、検出して、センサ光源選択式見当制御装置１００は、印刷装置３００の印刷見当ズレを是正するように制御する。（同（３））。
【００１４】
図２は、本発明によるセンサ光源選択式見当制御装置１００の詳細な構成図である。センサ光源選択式見当制御装置１００は、見当マーク情報取得手段１１０と、光源色指定情報生成手段１２０と、見当センサ７１０と、検知手段７１３と、光源手段７１５と、光源選択手段７２０と、見当マーク検出手段７３０と、印刷ユニット制御データ作成手段１７０と、記憶手段１９０とを備える。見当センサ７１０は、検知手段７１３と光源手段７１５とから構成される。記憶手段１９０は、見当マーク検知データと、印刷見当ズレを是正するための印刷ユニット制御情報と、を記憶する。
【００１５】
見当マーク検知データは、2つの見当マーク検出時間の差を含むデータである。印刷ユニット制御データは、印刷見当ズレを是正するデータである。
【００１６】
見当マーク情報取得手段１１０は、見当マークの配列情報と基準の見当マークの印刷色情報を含んだ見当マーク情報を取得する。光源色指定情報生成手段１２０は、見当マークの配列情報と基準の見当マークの印刷色情報を含んだ見当マーク情報から、印刷ユニット識別情報を含んだ光源色指定情報を生成する。
【００１７】
見当センサ７１０は、検知手段７１３と、光源手段７１５と、から構成される。光源手段７１５は、異なる光源色を発光する光源を備える。光源選択手段７２０は、光源色指定情報を受け付けて、光源手段７１５の光源の中から１つを選択する。
検知手段７１３は、前記光源手段７１５の発光する光源色が見当マークから反射した反射光量を検知して、反射光量データ（たとえば、反射光量信号）を出力する。
見当マーク検出手段７３０は、2つの反射光量データ（たとえば、反射光量信号）を取得して、各反射光量データの変化から見当マーク検出時間を算出して、2つの見当マーク検出時間の差を含む見当マーク検出データを作成する。
【００１８】
印刷ユニット制御データ作成手段１７０は、見当マーク検出データの2つの見当マーク検出時間の差を取得して、印刷見当ズレを是正するための印刷ユニット制御データを作成する。
【００１９】
検知手段７１３は、受光素子（たとえば、フォトダイオード）である。光源手段７１５は、発光素子（たとえば、LED）である。光源選択手段７２０は、切替スイッチである。見当マーク情報取得手段１１０と、光源色指定情報生成手段１２０と、見当マーク検出手段７３０と、印刷ユニット制御データ作成手段１７０と、は、コンピュータプログラムである。見当マーク検知データは、コンピュータプログラムが可読なデータである。記憶手段１９０は、メモリである。
【００２０】
図３は、見当センサの構造を説明する上面図である。見当センサ７１０は、光源７１５（赤色ＬＥＤ７１５ａ、青色ＬＥＤ７１５ｂ）、フォトダイオード７１３、レンズ７１１、ハーフミラー７１９などから構成されている。赤色ＬＥＤ７１５ａ、青色ＬＥＤ７１５ｂは、それぞれ、光源色＝赤と、光源色＝青の光源７１５であり、光源選択手段７２０によって切り替える。光源色の初期値は、青が選択されている。光源７１５を発した光は、ハーフミラー７１９を経由して、レンズ７１１で屈折して、印刷媒体５００上に焦点を結ぶ。見当マーク５１０からの反射光は、フォトダイオード７１３で受光して、反射光量信号に変換する。
【００２１】
なお、赤色ＬＥＤ７１５ａによる赤色光では、シアン色の見当マーク５１０を、検出する。また、青色ＬＥＤ７１５ｂによる青色光では、マゼンダ・イエロー・墨色等シアン以外の色の見当マーク５１０を、検出する。
【００２２】
図４と図５とは、２つの見当センサ７１０を用いた見当マーク５１０検知を説明する図である。
【００２３】
図４は、２つの見当センサ７１０を用いた見当制御装置の説明図である。２つの見当センサ７１０を備えた見当センサ７１０が、印刷媒体５００上の２つの見当マーク５１０を検知する状態を示している。２つの見当センサ７１０は、印刷媒体の送り方向に対して、下流側（図４の上位）に位置する見当センサを、「Ｔ１」、上流側（図４の下位）に位置する見当センサを「Ｔ２」とする。見当センサ７１０は、２つの見当センサ７１０を用いて、印刷媒体５００上の隣接する２つの見当マーク５１０を検知する。
【００２４】
図５は、２つの見当センサ７１０の正面図である。印刷媒体の送り方向が図面の上方である印刷媒体５００と２つの見当センサ「Ｔ１」「Ｔ２」７１０の位置関係を示している。印刷媒体５００上の隣接する２つの見当マーク５１０ａ／５１０ｂは、印刷媒体の送りに従って、それぞれが、見当センサ「Ｔ１」「Ｔ２」の位置に来る。すると、見当センサ「Ｔ１」の光源７１５は、見当マーク５１０ａを照射して、その反射光を見当センサ「Ｔ１」のフォトダイオード７１３で受光検知する。同様に、見当センサ「Ｔ２」の光源７１５は、見当マーク５１０ｂを照射して、その反射光を見当センサ「Ｔ２」のフォトダイオード７１３で受光検知する。
【００２５】
図１１は、この２つの見当マーク５１０を検出したときの反射光量の変化をグラフにしたものである。縦軸が反射光量で、横軸が時間である。見当センサ「Ｔ１」と見当センサ「Ｔ２」とは、同時に、2つの見当マーク５１０を検出する。検出開始時間に相違があれば、印刷物の流れの方向に、見当マークの位置が、ズレていることを示している。
【００２６】
次に、印刷媒体５００上の見当マーク５１０の配列順序について説明する。配列順序の種類は、4種類ある。図６から図９までは、その4種類の見当マーク配列を説明する図である。
【００２７】
図６は、正順配列の「基準見当マーク＝前の印刷ユニットの見当マーク」の配列を説明する図である。見当マークの正順配列とは、各印刷ユニットで印刷した見当マーク５１０が、印刷媒体の流れに乗って、最初に印刷した見当マークから順番に出現するものである。基準見当マークは、前の印刷ユニットで印刷した見当マーク５１０になる。そこで、たとえば、第２印刷ユニットの見当合わせは、第１印刷ユニットで印刷した見当マークを基準にする。第３印刷ユニットの見当合わせは、第２印刷ユニットで印刷した見当マークを基準にする。
【００２８】
たとえば、見当マークの配列は、第１印刷ユニットで印刷した見当マーク、第２印刷ユニットで印刷した見当マーク、第３印刷ユニットで印刷した見当マークの順番で出現するように、配列する。
【００２９】
ちなみに、各印刷ユニットにおいて、基準見当マークを検知する見当センサ７１０は、「Ｔ１」になる。従って、その印刷ユニットで印刷した見当マークを検知する見当センサ７１０は、「Ｔ２」にある。
【００３０】
図７は、逆順配列の「基準見当マーク＝前の印刷ユニットの見当マーク」の配列を説明する図である。見当マークの逆順配列とは、各印刷ユニットで印刷した見当マークが、印刷媒体の流れに乗って、最終に印刷した見当マークから順番に出現するものである。基準見当マークは、前の印刷ユニットで印刷した見当マーク５１０になる。そこで、各印刷ユニットの見当合わせは、図６で説明したとおりである。
【００３１】
たとえば、見当マークの配列は、第３印刷ユニットで印刷した見当マーク、第２印刷ユニットで印刷した見当マーク、第１印刷ユニットで印刷した見当マークの順番で出現するように、配列する。
【００３２】
そこで、第２印刷ユニットの見当合わせは、第１印刷ユニットで印刷した見当マークを基準にする。第３印刷ユニットの見当合わせは、第２印刷ユニットで印刷した見当マークを基準にする。
【００３３】
ちなみに、各印刷ユニットにおいて、基準見当マークを検知する見当センサ７１０は、「Ｔ２」になる。従って、その印刷ユニットで印刷した見当マークを検知する見当センサ７１０は、「Ｔ１」にある。
【００３４】
図８は、正順配列の「基準見当マーク＝第１印刷ユニットの見当マーク」の配列を説明する図である。見当マークの正順配列は、図６で説明したとおりである。基準見当マークは、第１印刷ユニットで印刷した見当マークである。そこで、第２印刷ユニットの見当合わせは、第１印刷ユニットで印刷した見当マークを基準にする。第３印刷ユニットの見当合わせは、第１印刷ユニットで印刷した見当マークを基準にする。
【００３５】
たとえば、見当マークの配列は、第１印刷ユニットで印刷した見当マーク、第２印刷ユニットで印刷した見当マーク、第１印刷ユニットで印刷した見当マーク、第３印刷ユニットで印刷した見当マークの順番で出現するように、配列する。
【００３６】
ちなみに、各印刷ユニットにおいて、基準見当マークを検知する見当センサ７１０は、各印刷ユニットとも、見当センサ「Ｔ１」になる。従って、その印刷ユニットで印刷した見当マークを検知する見当センサ７１０は、見当センサ「Ｔ２」になる。
【００３７】
図９は、逆順配列の「基準見当マーク＝第１印刷ユニットの見当マーク」の配列を説明する図である。見当マークの正順配列は、図７で説明したとおりである。基準見当マークは、第１印刷ユニットで印刷した見当マークである。そこで、各印刷ユニットの見当合わせは、図８で説明したとおりである。
【００３８】
たとえば、見当マークの配列は、第３印刷ユニットで印刷した見当マーク、第１印刷ユニットで印刷した見当マーク、第２印刷ユニットで印刷した見当マーク、第１印刷ユニットで印刷した見当マークの順番で出現するように、配列する。
【００３９】
ちなみに、各印刷ユニットにおいて、基準見当マークを検知する見当センサ７１０は、「Ｔ２」になる。従って、その印刷ユニットで印刷した見当マークを検知する見当センサ７１０は、「Ｔ１」である。
【００４０】
次に、見当センサ「Ｔ１」７１０と見当センサ「Ｔ２」７１０の光源色を選択する手順を説明する。図１０は、第Ｎ印刷ユニットの見当センサ「Ｔ１」と見当センサ「Ｔ２」の光源色の選択フローチャートである。なお、予め、全印刷ユニットにおいて、全ての見当センサ「Ｔ１」と見当センサ「Ｔ２」の光源色は、青に設定されている。
（１）基準見当マークの印刷ユニットが、前の印刷ユニットであれば、次のステップに進む。第１印刷ユニットであれば、ステップＳ１５０に進む。（ステップＳ１００）
（２）第Ｎ印刷ユニットが、青色印刷する印刷ユニットであれば、次のステップに進む。青色印刷する印刷ユニットでなければ、終了する。（ステップＳ１１０）
（３）見当マーク順序が、逆順であれば、次のステップに進む。正順であれば、ステップＳ１４０に進む。（ステップＳ１２０ ）
（４）光源色指定情報生成手段１２０は、「印刷ユニット識別情報＝第Ｎ印刷ユニット」と「見当センサＴ１の光源色＝赤」を含んだ光源色指定情報を生成して、送信する。次いで、光源色指定情報生成手段１２０は、「印刷ユニット識別情報＝第Ｎ+１印刷ユニット」と「見当センサＴ２の光源色＝赤」を含んだ光源色指定情報を生成して、送信する。終了する。（ステップＳ１３０ ）
（５）光源色指定情報生成手段１２０は、「印刷ユニット識別情報＝第Ｎ印刷ユニット」と「見当センサＴ２の光源色＝赤」を含んだ光源色指定情報を生成して、送信する。次いで、光源色指定情報生成手段１２０は、「印刷ユニット識別情報＝第Ｎ+１印刷ユニット」と「見当センサＴ１の光源色＝赤」を含んだ光源色指定情報を生成して、送信する。終了する。（ステップＳ１４０ ）
（６）第Ｎ印刷ユニットが、青色印刷する印刷ユニットであれば、次のステップに進む。青色印刷する印刷ユニットでなければ、終了する。（ステップＳ１５０ ）
（７）見当マーク順序が、正順であれば、次のステップに進む。逆順であれば、ステップＳ１８０に進む。（ステップＳ１６０）
（８）第Ｎ印刷ユニットは、基準見当マークの印刷ユニットであれば、次のステップに進む。基準見当マークの印刷ユニットでなければ、ステップＳ１７８に進む。（ステップＳ１７０）
（９）光源色指定情報生成手段１２０は、「印刷ユニット識別情報＝全印刷ユニット」と「見当センサＴ１の光源色＝赤」を含んだ光源色指定情報を生成して、送信する。終了する。（ステップＳ１７３）
（１０）光源色指定情報生成手段１２０は、「印刷ユニット識別情報＝第Ｎ印刷ユニット」と「見当センサＴ２の光源色＝赤」を含んだ光源色指定情報を生成して、送信する。終了する。（ステップＳ１７８）
（１１）第Ｎ印刷ユニットは基準見当マークの印刷ユニットであれば、次のステップに進む。基準見当マークの印刷ユニットでなければ、ステップＳ１８８に進む。（ステップＳ１８０）
（１２）光源色指定情報生成手段１２０は、「印刷ユニット識別情報＝全印刷ユニット」と「見当センサＴ２の光源色＝赤」を含んだ光源色指定情報を生成して、送信する。終了する。（ステップＳ１８３）
（１３）光源色指定情報生成手段１２０は、「印刷ユニット識別情報＝第Ｎ印刷ユニット」と「見当センサＴ１の光源色＝赤」を含んだ光源色指定情報を生成して、送信する。終了する。（ステップＳ１８８）
【００４１】
以上詳しく説明したように、本願発明によれば、見当センサ設定作業の能率が向上した。また、見当センサの設定作業において、印刷材料の使用量を削減できた。
【図面の簡単な説明】
【００４２】
【図１】印刷ユニットに設置した見当測定装置の概要と大まかな処理の流れ
【図２】見当測定装置の詳細な構成図
【図３】見当センサの上面図
【図４】２つの見当センサを備えた見当測定装置の説明図
【図５】２つの見当センサの正面図
【図６】前の印刷ユニットの見当マークが基準見当マークになる正順配列の説明図
【図７】前の印刷ユニットの見当マークが基準見当マークになる逆順配列の説明図
【図８】第１印刷ユニットの見当マークが基準見当マークになる正順配列の説明図
【図９】第１印刷ユニットの見当マークが基準見当マークになる逆順配列の説明図
【図１０】各光源色の選択フローチャート
【図１１】２つの見当マーク５１０を検出したときの反射光量グラフ
【符号の説明】
【００４３】
１  光源選択式印刷見当制御システム
１００  見当センサ光源選択式見当制御装置
１１０  見当マーク情報取得手段
１２０  光源色指定情報生成手段
１７０  印刷ユニット制御データ作成手段
１９０  記憶手段
３００  印刷装置
３１０  印刷ユニット
５００  印刷媒体
５１０  見当マーク
５１０ａ／５１０ｂ  隣接する２つの見当マーク
７１０  見当センサ
７１３  検知手段
７１３  フォトダイオード
７１５  光源手段
７１５ａ  赤色ＬＥＤ
７１５ｂ  青色ＬＥＤ
７２０  光源選択手段
７３０  見当マーク検出手段
９００  印刷機操作者
【図１】
2007160726.tif 000003
【図２】
2007160726.tif 000004
【図３】
2007160726.tif 000005
【図４】
2007160726.tif 000006
【図５】
2007160726.tif 000007
【図６】
2007160726.tif 000008
【図７】
2007160726.tif 000009
【図８】
2007160726.tif 000010
【図９】
2007160726.tif 000011
【図１０】
2007160726.tif 000012
【図１１】
2007160726.tif 000013